(57)【要約】  データ検索及びディスプレイ方法は、複数個のタッチパッドと複数個ファイルのデータを複数個のメモリ領域にそれぞれ保存する保存媒体を備えるデータ検索及びディスプレイ方法において、ディスプレイデータが選択されると、前記ディスプレイデータが保存された第１メモリ領域を獲得した後、前記第１メモリ領域のデータを順に画面上にディスプレイする段階と、前記少なくとも一つ以上のタッチパッドが設定時間の間に接触されると、前記第１メモリ領域のうちの前記接触されたタッチパッドの位置に対応される第２メモリ領域を獲得した後に前記第２メモリ領域のスタート領域からデータを読み取って出力するメモリマッピング段階と、前記少なくとも一つ以上のタッチパッドが設定時間の間に接触していなければ、前記接触されたタッチパッドの位置によってスクロール方向を獲得し、その獲得されたスクロール方向にスクロール動作を行うスクロール段階と、を備えることを特徴とする。
2008529123.tif 000002
【特許請求の範囲】
【請求項１】
複数個のタッチパッドを備えるスクロール装置と、
ディスプレイデータを保存するメモリ部と、
ディスプレイデータが選択されると、前記ディスプレイデータが保存された第１メモリ領域を獲得した後、前記第１メモリ領域のスタート領域からデータを読み取って出力する制御部と、
前記使用者がディスプレイデータを選択したり、メモリマッピング動作を要請したりして前記制御部から出力されるデータをディスプレイする使用者インターフェース部と、を備え、
前記制御部は、
前記複数個のタッチパッドのうちの少なくとも一つ以上のタッチパッドが設定時間の間に接触されると、前記第１メモリ領域のうちの前記接触されたタッチパッドの位置に対応される第２メモリ領域を獲得した後、前記第２メモリ領域のスタート領域からデータを読み取って出力する機能をさらに備えることを特徴とするデータ検索及びディスプレイ装置。
【請求項２】
前記制御部は、
前記複数個のタッチパッドのうちの前記少なくとも一つ以上のタッチパッドが設定時間の間に接触していなければ、前記接触されたタッチパッドの位置によってスクロール方向を獲得し、その獲得されたスクロール方向にスクロール動作を行う機能をさらに備えることを特徴とする請求項１に記載のデータ検索及びディスプレイ装置。
【請求項３】
前記制御部は、
複数個のインデックスのそれぞれに前記少なくとも一つ以上のタッチパッドをマッピングし、前記タッチパッドが設定時間の間に接触されると、前記タッチパッドにマッピングされた前記インデックスを検出して出力するインデックス検出制御部と、
前記複数個のインデックスと設定時間とを設定し、前記第１メモリ領域が獲得されると、前記第１メモリ領域と前記複数個のインデックスによってインデックスオフセットを獲得し、前記インデックスが受信されると、前記インデックスと前記インデックスオフセットによって前記第２メモリ領域を獲得した後、前記第２メモリ領域のスタート領域からデータを読み取って出力するメイン制御部と、
を備えることを特徴とする請求項１に記載のデータ検索及びディスプレイ装置。
【請求項４】
前記インデックス検出制御部は、
基準インデックスを保存する基準インデックスメモリ部と、
時間の経過を計算するタイマと、
前記複数個のインデックスのそれぞれに前記少なくとも一つ以上のタッチパッドをマッピングし、前記少なくとも一つ以上のタッチパッドが接触されると、前記接触されたタッチパッドにマッピングされた前記インデックスを検出するインデックス検出部と、
前記検出されたインデックスと前記基準インデックスが設定時間の間に同一であれば前記検出されたインデックスを出力すると共に前記タイマをリセットし、前記検出されたインデックスと前記基準インデックスが相違したり、設定時間の間に同一でなかったりすると前記基準インデックスに前記検出されたインデックスを保存すると共に前記タイマをリセットするインデックス出力制御部と、
を備えることを特徴とする請求項３に記載のデータ検索及びディスプレイ装置。
【請求項５】
前記インデックス出力制御部は、
前記使用者インターフェースを介して前記メモリマッピング動作に対する要請があれば前記検出されたインデックスを出力すると共に前記タイマをリセットする機能をさらに備えることを特徴とする請求項４に記載のデータ検索及びディスプレイ装置。
【請求項６】
前記インデックス検出部は、
前記複数個のタッチパッドを前記複数個のインデックスによって複数個のタッチパッドグループに分類し、複数個のタッチパッドグループと複数個のインデックスを一対一にマッピングすることを特徴とする請求項４に記載のデータ検索及びディスプレイ装置。
【請求項７】
前記インデックス検出部は、
前記接触されたパッドにマッピングされたインデックスが二つ以上検出されると、前記接触されたパッドがより多くのインデックスを優先的に選択することを特徴とする請求項４に記載のデータ検索及びディスプレイ装置。
【請求項８】
前記メモリは、
ファイルのインデックス情報をそれぞれ保存する複数個のインデックスメモリ領域と、
ファイルのデータをそれぞれ保存する複数個のデータメモリ領域と、
を備えることを特徴とする請求項１に記載のデータ検索及びディスプレイ装置。
【請求項９】
前記インデックス情報は、
前記インデックス情報に対応するファイルのファイル名と、
前記インデックス情報に対応するデータメモリ領域のスタート及び最後の領域の位置情報と、
を含むことを特徴とする請求項８に記載のデータ検索及びディスプレイ装置。
【請求項１０】
前記メイン制御部は、
前記ディスプレイデータが前記複数個のファイルのファイル名であれば、前記複数個のファイルのインデックス情報が保存された前記インデックスメモリ領域を前記第１メモリ領域として獲得した後、前記第１メモリ領域を前記複数個のインデックスによって割った値と類似するか、または同一の値を有する前記インデックスメモリ領域の大きさの整数倍を前記インデックスオフセットに獲得することを特徴とする請求項９に記載のデータ検索及びディスプレイ装置。
【請求項１１】
前記メイン制御部は、
前記ディスプレイデータが前記ファイルのデータであれば、前記ファイルのデータが保存されたデータメモリ領域を前記第1メモリ領域として獲得し、前記第1メモリ領域を前記複数個のインデックスによって割った値を前記インデックスオフセットに獲得することを特徴とする請求項９に記載のデータ検索及びディスプレイ装置。
【請求項１２】
前記メイン制御部は、
前記使用者の要求によって前記インデックスオフセットの値を直接的に設定することを特徴とする請求項９に記載のデータ検索及びディスプレイ装置。
【請求項１３】
前記メイン制御部は、
前記第１メモリ領域のスタート領域から前記インデックスと前記インデックスオフセットを掛けた値分移動した領域を前記第２メモリ領域として獲得することを特徴とする請求項９に記載のデータ検索及びディスプレイ装置。
【請求項１４】
前記メイン制御部は、
前記第２メモリ領域に保存されたデータがなければ、前記第１メモリ領域のスタート領域を前記第２メモリ領域として新たに獲得することを特徴とする請求項１３に記載のデータ検索及びディスプレイ装置。
【請求項１５】
前記メイン制御部は、
前記第２メモリ領域に保存されたデータがなければ、前記第１メモリ領域の最後の領域を前記第２メモリ領域として新たに獲得することを特徴とする請求項１３に記載のデータ検索及びディスプレイ装置。
【請求項１６】
前記メイン制御部は、
使用者が手動でインデックスオフセットを設定できるようにする機能をさらに備えることを特徴とする請求項３に記載のデータ検索及びディスプレイ装置。
【請求項１７】
前記制御部は、
所定個のタッチパッドを用いて前記メモリマッピング動作を行い、所定個のタッチパッドを用いてスクロール速度調節動作を行うことを特徴とする請求項３に記載のデータ検索及びディスプレイ装置。
【請求項１８】
前記スクロール装置は、
上下一列に配置された複数個のタッチパッドを備えることを特徴とする請求項１に記載のデータ検索及びディスプレイ装置。
【請求項１９】
前記スクロール装置は、
マトリックス状に配置された複数個のタッチパッドを備えることを特徴とする請求項１に記載のデータ検索及びディスプレイ装置。
【請求項２０】
前記スクロール装置は、
円状に配置された複数個のタッチパッドを備えることを特徴とする請求項１に記載のデータ検索及びディスプレイ装置。
【請求項２１】
前記データ検索及びディスプレイ装置は、
携帯用装置であることを特徴とする請求項１に記載のデータ検索及びディスプレイ装置。
【請求項２２】
複数個のタッチパッドと複数個ファイルのデータを複数個のメモリ領域にそれぞれ保存する保存媒体を備えるデータ検索及びディスプレイ方法において、
ディスプレイデータが選択されると、前記ディスプレイデータが保存された第１メモリ領域を獲得した後、前記第１メモリ領域のデータを順に画面上にディスプレイする段階と、
前記少なくとも一つ以上のタッチパッドが設定時間の間に接触されると、前記第１メモリ領域のうちの前記接触されたタッチパッドの位置に対応される第２メモリ領域を獲得した後に前記第２メモリ領域のスタート領域からデータを読み取って出力するメモリマッピング段階と、
前記少なくとも一つ以上のタッチパッドが設定時間の間に接触していなければ、前記接触されたタッチパッドの位置によってスクロール方向を獲得し、その獲得されたスクロール方向にスクロール動作を行うスクロール段階と、
を備えることを特徴とするデータ検索及びディスプレイ装置の方法。
【請求項２３】
前記データ検索及びディスプレイ方法は、
複数個のインデックスと設定時間とを設定し、前記複数個のインデックスに前記複数個のタッチパッドをマッピングする段階をさらに備えることを特徴とする請求項２２に記載のデータ検索及びディスプレイ装置の方法。
【請求項２４】
前記メモリマッピング段階は、
前記第１メモリ領域を前記複数個のインデックスで分けてインデックスオフセットを獲得するインデックスオフセット獲得段階と、
前記少なくとも一つ以上のタッチパッドが設定時間の間に接触されると、前記接触されたタッチパッドに該当する前記インデックスを検出するインデックス検出段階と、
前記インデックスと前記インデックスオフセットを用いて前記第１メモリ領域のうちの前記接触されたタッチパッドの位置に対応される第２メモリ領域を獲得する第２メモリ領域獲得段階と、
を備えることを特徴とする請求項２３に記載のデータ検索及びディスプレイ装置の方法。
【請求項２５】
前記インデックスオフセット獲得段階は、
前記ディスプレイデータが前記複数個ファイルのファイル名であれば、
前記複数個ファイルのファイル名が保存された全体メモリ領域を獲得する段階と、
前記全体メモリ領域の大きさを前記複数個のインデックスによって割った値を獲得する段階と、
前記割った値と類似するか、または同一である前記単位メモリ領域大きさの整数倍を前記インデックスオフセットとして獲得する段階と、
を備えることを特徴とする請求項２４に記載のデータ検索及びディスプレイ装置の方法。
【請求項２６】
前記インデックスオフセット獲得段階は、
前記ディスプレイデータが前記ファイルのデータであれば、
前記ファイルのデータが保存されたメモリ領域を前記複数個のインデックスによって割った値を前記インデックスオフセットとして獲得することを特徴とする請求項２４に記載のデータ検索及びディスプレイ装置の方法。
【請求項２７】
前記インデックス検出段階は、
前記少なくとも一つ以上のタッチパッドが接触すると、前記接触されたパッドにマッピングされたインデックスを検出する段階と、
前記検出されたインデックスと基準インデックスが設定時間の間に同一であれば、前記検出されたインデックスを出力する段階と、
前記検出されたインデックスと前記基準インデックスが設定時間の間に同一でなければ、前記検出されたインデックスを前記基準インデックスに設定する段階と、
を備えることを特徴とする請求項２４に記載のデータ検索及びディスプレイ装置の方法。
【請求項２８】
前記接触されたパッドにマッピングされたインデックスを検出する段階は、
前記接触されたパッドにマッピングされたインデックスが二つ以上検出されると、前記接触されたパッドがより多くのインデックスを優先的に選択することを特徴とする請求項２７に記載のデータ検索及びディスプレイ装置の方法。
【請求項２９】
前記検出段階は、
使用者がメモリマッピング動作を要請する際、
前記検出されたインデックスが前記設定時間分、前記基準インデックスと同一でなくても前記検出されたインデックスを出力することを特徴とする請求項２７に記載のデータ検索及びディスプレイ装置の方法。
【請求項３０】
前記第２メモリ領域獲得段階は、
前記第１メモリ領域のスタート領域から前記インデックスと前記インデックスオフセットを掛けた値分移動した領域を前記第２メモリ領域として獲得することを特徴とする請求項２４に記載のデータ検索及びディスプレイ装置の方法。
【請求項３１】
前記第２メモリ領域獲得段階は、
前記第２メモリ領域に保存されたデータがなければ、前記第１メモリ領域のスタート領域を前記第２メモリ領域に新たに獲得することを特徴とする請求項２４に記載のデータ検索及びディスプレイ装置の方法。
【請求項３２】
前記第２メモリ領域獲得段階は、
前記第２メモリ領域に保存されたデータがなければ、前記第１メモリ領域の終了領域を前記第２メモリ領域に新たに獲得することを特徴とする請求項２４に記載のデータ検索及びディスプレイ装置の方法。
【発明の詳細な説明】
【技術分野】
【０００１】
本発明はデータ検索及びディスプレイ装置に関し、特に、複数個のタッチパッドを用いて大容量のデータをより迅速かつ簡単に検索及び提供するようにしたデータ検索及びディスプレイ装置及びその方法（ａｐｐａｒａｔｕｓｆｏｒ  ｄａｔａ  ｓｅａｒｃｈ  ａｎｄ  ｄｉｓｐｌａｙ  ａｎｄ  ｍｅｔｈｏｄ  ｔｈｅｒｅｏｆ）に関するものである。
【背景技術】
【０００２】
一般に、ＭＰ３、電子辞典、及び携帯電話機などのようなポータブルデータ検索及びディスプレイ装置は、ボタンとスクロール装置を備えて、使用者がボタンまたはスクロール装置を用いて特定データを検索及び選択することができる。
【０００３】
すなわち、データ検索及びディスプレイ装置のボタンまたはスクロール装置は、使用者がデータ検索及びディスプレイ装置のディスプレイ画面を上から下にスクロールしながら所望するデータを検索するために、従来のスクロール装置はディスプレイ画面を１行または１ページ単位でスクロールした。
【０００４】
しかしながら、半導体及び電子技術の急速な発展により、データ検索及びディスプレイ装置は大容量化されていて、使用者が従来のボタンまたはスクロール装置によって所望するデータを検索しようとした場合、より多くのボタン入力動作またはスクロール動作が必要とされる。
【０００５】
例えば、データ検索及びディスプレイ装置に１００００曲が保存されているハードディスク型ＭＰ３において、１曲の題目が１行を必要として、データ検索及びディスプレイ装置のスクロール装置は一度に１０行をスクロールできるものと仮定すれば、使用者が最初情報から最後の情報まで検索するには１０００回のページ単位のスクロール動作を必要とされる。
【０００６】
すなわち、データ検索及びディスプレイ装置のメモリ用量が増加することによって新たな形態のスクロール装置とスクロール方法が必要とされる。
【０００７】
ここで、本発明は、タッチパッドを用いられる従来技術において複数個のタッチパッドを備えるスクロール装置を用いて、より迅速かつ容易に使用者が所望するデータを検索できるデータ検索、ディスプレイ装置及びその方法を提示する。
【０００８】
図１は、従来技術によるスクロール装置を示す図で、図示したように複数個のタッチパッド１とタッチセンサ２を備える。
【０００９】
複数個のタッチパッド１は、図示したように上下一列に配置されて、使用者（特に、使用者の指）が接触すると抵抗値またはキャパシタンス値を発生し、接触しないとオープン状態を維持する。よって、複数個のタッチパッドは使用者の接触の有無に対する情報を提供する。
【００１０】
そして、タッチセンサ２は、複数個のタッチパッド１と接続されて、複数個のタッチパッドのうちの所定のキャパシタンス値を発生するタッチパッドの位置を知らせるためのデータ、すなわち、使用者の接触位置を知らせるためのデータを発生する。
【００１１】
ここによって、従来のデータ検索及びディスプレイ装置は、図１のスクロール装置を備え、スクロール装置の出力データを分析して、使用者が複数個のタッチパッド１の上側に接触されたらディスプレイ画面を上方へスクロールし、使用者が複数個のタッチパッド１の下側に接触されたらディスプレイ画面を下方へスクロールした。
【００１２】
このように従来のデータ検索及びディスプレイ装置は、スクロール装置を用いてスクロール動作のみを行っていた。
【発明の開示】
【発明が解決しようとする課題】
【００１３】
本発明の目的は、複数個のタッチパッドにメモリ領域をマッピングすることによって、大容量のデータをより迅速かつ簡単に検索及び提供できるようにするデータ検索、ディスプレイ装置及びその方法を提供することにある。
【課題を解決するための手段】
【００１４】
前記の目的を達成するためのデータ検索及びディスプレイ装置は、複数個のタッチパッドを備えるスクロール装置と、ディスプレイデータを保存するメモリ部と、ディスプレイデータが選択されると、前記ディスプレイデータが保存された第１メモリ領域を獲得した後、前記第１メモリ領域のスタート領域からデータを読み取って出力する制御部と、前記使用者がディスプレイデータを選択したり、メモリマッピング動作を要請したりして前記制御部から出力されるデータをディスプレイする使用者インターフェース部と、を備え、前記制御部は、前記複数個のタッチパッドのうちの少なくとも一つ以上のタッチパッドが設定時間の間に接触されると、前記第１メモリ領域のうちの前記接触されたタッチパッドの位置に対応される第２メモリ領域を獲得した後、前記第２メモリ領域のスタート領域からデータを読み取って出力する機能をさらに備えることを特徴とする。
【００１５】
前記の目的を達成するためのデータ検索及びディスプレイ方法は、複数個のタッチパッドと複数個ファイルのデータを複数個のメモリ領域にそれぞれ保存する保存媒体を備えるデータ検索及びディスプレイ方法において、ディスプレイデータが選択されると、前記ディスプレイデータが保存された第１メモリ領域を獲得した後、前記第１メモリ領域のデータを順に画面上にディスプレイする段階と、前記少なくとも一つ以上のタッチパッドが設定時間の間に接触されると、前記第１メモリ領域のうちの前記接触されたタッチパッドの位置に対応される第２メモリ領域を獲得した後に前記第２メモリ領域のスタート領域からデータを読み取って出力するメモリマッピング段階と、前記少なくとも一つ以上のタッチパッドが設定時間の間に接触していなければ、前記接触されたタッチパッドの位置によってスクロール方向を獲得し、その獲得されたスクロール方向にスクロール動作を行うスクロール段階とを備えることを特徴とする。
【発明の効果】
【００１６】
本発明のデータ検索及びディスプレイ装置及びその方法は、複数個のタッチパッドのそれぞれに特定メモリ領域の位置情報をマッピングし、複数個のタッチパッドのうちの特定タッチパッドを所定時間の間に接触すると、特定タッチパッドにマッピングされたメモリ領域に移動できるようにする。よって、大容量のデータをより迅速かつ簡単に検索及び提供することができる。
【発明を実施するための最良の形態】
【００１７】
以下、添付した図面を参照にして本発明のデータ検索、ディスプレイ装置及びその方法を説明する。
【００１８】
図２は、本発明によるデータ検索及びディスプレイ装置の内部ブロック図を示す図である。
【００１９】
図２を参照すると、本発明のデータ検索及びディスプレイ装置は、スクロール部１０、インデックス検出制御部２０、メイン制御部３０、メモリ部４０、使用者インターフェース部５０を備え、スクロール部１０は複数個のタッチパッド１とタッチセンサ２で構成される。
【００２０】
以下、各構成要素の機能を説明する。
【００２１】
複数個のタッチパッド１は、図３の（ａ）ないし（ｃ）のように多様なパターンに配置され、複数個のタッチパッド１のそれぞれは使用者が接触すると抵抗値またはキャパシタンス値を発生し、接触しないとオープン状態を維持する。これによって、複数個のタッチパッド１は使用者の接触の有無に対する情報を提供する。
【００２２】
タッチセンサ２は、複数個のタッチパッド１と接続され、所定の抵抗値またはキャパシタンス値を発生して少なくとも一つ以上のタッチパッドの位置情報を知らせるデータを生成する。すなわち、使用者が接触したタッチパッドの位置情報を有するデータを生成する。
【００２３】
インデックス検出制御部２０は、初期化時にインデックスの個数と「マッピング動作要請時間」を受信し、図３の（ｄ）ないし（ｅ）のようにインデックス個数により複数個のタッチパッドを複数個のタッチパッドグループに分類し、各タッチパッドグループにインデックスをマッピングする。すなわち、複数個のインデックスのそれぞれに少なくとも一つ以上のタッチパッドをマッピングする。
【００２４】
初期化終了後、タッチセンサ２のデータを受信して分析し、その分析結果、使用者が特定タッチパッドグループに「マッピング動作要請時間」の間に接触していたら、特定タッチパッドグループにマッピングされたインデックスを検出してメイン制御部３０へ提供する。
【００２５】
このとき、「マッピング動作要請時間」は、使用者がメモリマッピング動作を要請するためにタッチパッドに接触すべき時間であり、使用者の必要によって調整される時間である。
【００２６】
また、インデックス検出制御部２０は、使用者インターフェース部５０から使用者がメモリマッピング動作を要請したことを通報してきたら、無条件的にメモリマッピング動作を行う。すなわち、使用者が特定タッチパッドに接触した時間が「マッピング動作要請時間」でなくても、特定タッチパッドにマッピングされたインデックスを検出してメイン制御部３０へ提供する。
【００２７】
メイン制御部３０は、構成要素を全般的に制御して使用者が要請する作業を行う。さらに詳しくは、メイン制御部３０は初期化時にはインデックス個数とマッピングモード要請時間を設定し、初期化が終了されてディスプレイデータが選択されると、ディスプレイデータが保存されたメモリ領域を獲得し、メモリ領域のスタート領域からデータを読み取って出力する。
【００２８】
このとき、メイン制御部３０は、ディスプレイデータが複数個ファイルのファイル名であればディスプレイデータが保存されたメモリ領域に複数個のインデックスメモリ領域を獲得し、特定ファイルのデータであればディスプレイデータが保存されたメモリ領域に特定ファイルのデータが保存されたデータメモリ領域を獲得する。
【００２９】
そして、メイン制御部３０はディスプレイデータが保存されたメモリ領域を獲得すると、メモリマッピング動作のためにこのメモリ領域の大きさをインデックス個数で分けてインデックスオフセットを獲得し、インデックス検出制御部２０からインデックスが受信されると、インデックスとインデックスオフセットを用いてメモリマッピング動作を行う。すなわち、インデックスとインデックスオフセットを用いて使用者が接触したタッチパッドグループに対応される新たなメモリ領域を獲得し、新たなメモリ領域のスタート領域からデータを獲得して使用者インターフェース部５０に出力する。
【００３０】
一方、スクロール部１０からデータが受信されると、メイン制御部３０はスクロール動作を行う。すなわち、スクロール部１０のデータを受信し、これを分析してスクロール方向を獲得し、その獲得された方向にディスプレイされた画面をスクロールする。スクロール部１０のデータによるスクロール動作は公知された技術によるものであるので詳細な説明は省略する。
【００３１】
このとき、インデックス検出制御部２０のインデックスはスクロール部１０のデータよりも優先順位を有する。これにより、メイン制御部３０はインデックス検出制御部２０のインデックスとタッチセンサ１のデータを同時に受信すると、インデックス検出制御部２０のインデックスによるメモリマッピング動作を優先的に行う。
【００３２】
メモリ部４０は、図４のように全体メモリ領域を複数個のインデックスメモリ領域ＩＭＡ１〜ＩＭＡＮと、複数個のデータメモリ領域ＤＭＡ１〜ＤＭＡＮとで分割される。そして、複数個のインデックスメモリ領域ＩＭＡ１〜ＩＭＡＮのそれぞれにファイルのインデックス情報ｉｎｄｅｘ１〜ｉｎｄｅｘＮをそれぞれ保存し、複数個のデータメモリ領域ＤＭＡ１〜ＤＭＡＮのそれぞれにファイルのデータｄａｔａ１〜ｄａｔａＮをそれぞれ保存する。
【００３３】
このとき、複数個のインデックスメモリ領域ＩＭＡ１〜ＩＭＡＮの大きさはすべて同一であり、各インデックスメモリ領域ＩＭＡ１に保存されるインデックス情報ｉｎｄｅｘ１は該当ファイルのファイル名、及び該当ファイルのデータが保存されたメモリ領域のスタートアドレス及び終了アドレスの情報などを含む。
【００３４】
使用者インターフェース部５０は、モニタのようなディスプレイ手段と、ボタン及びスィッチのような入力手段で構成されており、このディスプレイ手段は制御部３０から伝送されるデータを使用者が認識できる形態に変換した後に出力し、この入力手段は使用者が特定ボタンまたはスィッチを選択すると、これを感知し、メイン制御部３０またはインデックス検出制御部２０に知らせる。すなわち、入力手段は使用者が必要とする動作（例えば、メモリマッピング動作）を要請したり、インデックス個数及びインデックスオフセットを設定したりする。
【００３５】
図３は、図２の複数個のタッチパッドの実施形態を示す図である。
【００３６】
図３（ａ）は上下方向のスクロールを支援するための複数個のタッチパッドを、図３（ｂ）は上下左右方向のスクロールを支援するためのマトリックス状の複数個のタッチパッドを、図３（ｃ）は上下方向のスクロールを支援するための円状の複数個のタッチパッドを、図３（ｄ）は図３（ａ）の複数個のタッチパッドを１０個のインデックスＩＤ０〜ＩＤ９によって１０個のタッチパッドグループに分類した場合を、図３（ｅ）は図３（ａ）の複数個のタッチパッドを３個のインデックスＩＤ０〜ＩＤ３によって３個のタッチパッドグループに分類した場合をそれぞれ示す。
【００３７】
このように本発明は図３の（ａ）ないし（ｃ）のように多様な形態のスクロール装置を採用することができ、図３の（ｄ）及び（ｅ）のようにインデックス個数によってタッチパッドグループの数を変更する。
【００３８】
図３（ｄ）はタッチパッド間隔が広かったり、多数のインデックスＩＤ０〜ＩＤ９を必要としたりする場合に好適であり、図３（ｅ）はタッチパッド間隔が狭くて一つのタッチパッドを選択し難かったり少数のインデックスＩＤ０〜ＩＤ３を必要としたりする場合に好適である。
【００３９】
また、図に示してないが、図３の（ｂ）及び（ｃ）のタッチパッドもインデックス個数によってタッチパッドグループ数を変更することが可能である。
【００４０】
そして、図３の（ｂ）及び（ｃ）のタッチパッドのように２次元の場合、一部のタッチパッドはメモリマッピング動作のタッチパッドとして、一部のタッチパッドはメモリマッピング動作以外の他動作を行うタッチパッドとして用いることができる。
【００４１】
例えば、図３（ｂ）のタッチパッドは、上下に配置されたタッチパッドＰ０、Ｐ４、Ｐ８、Ｐ１２はメモリマッピング動作のタッチパッドとして、残りタッチパッドＰ１〜Ｐ３、Ｐ５〜Ｐ７、Ｐ９〜Ｐ１１、Ｐ１３〜Ｐ１５はスクロール速度を調節するタッチパッドとして用いることができる。
【００４２】
また、図３（ｃ）のタッチパッドも上下に配置されたタッチパッドＰ１５、Ｐ０、Ｐ１、Ｐ７、Ｐ８、Ｐ９はメモリマッピング動作のタッチパッドとして、残りタッチパッドＰ２〜Ｐ６、Ｐ１０〜Ｐ１４はスクロール速度を調節するタッチパッドとして用いることができる。
【００４３】
図５は、図２のデータ検索及びディスプレイ装置のインデックス検出制御部２０の構成をより詳しく示す図であり、インデックス検出制御部２０はデータ入力部２１、インデックス検出部２２、基準インデックスメモリ部２４、タイマ２３、及びインデックス出力制御部２５を備える。
【００４４】
以下、図５の各ブロックの機能を説明する。
【００４５】
データ入力部２１は、メイン制御部３０から伝送されたインデックス個数によって複数個のタッチパッド１を複数個のタッチパッドグループに分類する。そして、タッチセンサ１２からデータが入力されると、入力されたデータを分析して使用者が接触したタッチパッドグループを獲得する。
【００４６】
たとえ、使用者が接触したタッチパッドグループが二つ以上であったら、データ入力部２１は使用者が接触したタッチパッドがさらに多く含まれるタッチパッドグループが優先的に選択される。
【００４７】
一方、使用者が接触したタッチパッドをより多く含むタッチパッドグループがなかったら、使用者の選択によってエラーで処理したり、二つ以上のタッチパッドグループのうちの一つのタッチパッドグループを無作為に選択したりする。
【００４８】
インデックス検出部２２は、データ入力部２１によって複数個のタッチパッドが複数個のタッチパッドグループに分類されると、複数個のインデックスと複数個のタッチパッドとを一対一にマッピングする。そして、データ入力部２１を介して獲得されたタッチパッドグループにマッピングされたインデックスを検出する。
【００４９】
タイマ２３は、時間の経過を計算し、基準インデックスがアップデートされたり、インデックス出力制御部２５が検出されたインデックスをメイン制御部３０に出力されたりする度にリセットされる。そして、基準インデックスメモリ部２４は基準インデックスを保存する。
【００５０】
インデックス出力制御部２５は、インデックス検出部２２を介して検出されたインデックスと基準インデックスメモリ部２４に保存された基準インデックスが「マッピング動作要請時間」の間に同一であれば、検出されたインデックスをメイン制御部３０に出力した後にタイマ２３をリセットする。一方、検出されたインデックスと基準インデックスが「マッピング動作要請時間」の以下で同一であったり相違したりした場合、検出されたインデックスを基準インデックスに保存した後タイマ２３をリセットする。
【００５１】
以下、本発明のデータ検索及びディスプレイ装置の動作を説明する。
【００５２】
まず、図６を参照して、本発明によるデータ検索及びディスプレイ装置の動作を概略的に説明する。
【００５３】
初期化時にメイン制御部３０は使用者が複数個のインデックス及び「マッピング動作要請時間」を設定するようにし、インデックス検出制御部２０は複数個のインデックスのそれぞれに少なくとも一つ以上のタッチパッドをマッピングする（段階Ｓ１）。
【００５４】
初期化が終了すると、メイン制御部３０は使用者がディスプレイデータを選択するようにするメニューを提供し、ディスプレイデータが選択されると、ディスプレイデータが保存されたメモリ領域を獲得し、このメモリ領域のスタート領域からデータを読み取ってモニタにディスプレイする（段階Ｓ２）。
【００５５】
そして、ディスプレイデータが保存されたメモリ領域を、段階Ｓ１を介して設定した複数個のインデックスにより分けてインデックスオフセットを獲得する（段階Ｓ３）。
【００５６】
この状態で、少なくとも一つのタッチパッド１に使用者が接触したら（段階Ｓ４）、タッチセンサ２はこれを感知し、使用者が接触したタッチパッド１の位置情報を有するデータを生成する（段階Ｓ５）。
【００５７】
次に、インデックス検出制御部２０はタッチセンサ２を介して生成されたデータを受信して分析し、その分析結果、使用者が少なくとも一つのタッチパッド１に「マッピング動作要請時間」の間に接触したことが確認されると、少なくとも一つのタッチパッド１に該当するインデックスを検出する（段階Ｓ６）。
【００５８】
メイン制御部３０は段階Ｓ６を介して検出されたインデックスと段階Ｓ３を介して獲得されたインデックスオフセットとを用いて使用者が接触したタッチパッドグループに対応する新たなメモリ領域を獲得し（段階Ｓ７）、新たなメモリ領域のスタート領域からデータを読み取ってモニタにディスプレイする（段階Ｓ８）。
【００５９】
一方、段階Ｓ６を介してインデックスが検出されないと、メイン制御部３０はスクロール装置１０のデータを分析してスクロール方向を獲得し、その獲得されたスクロール方向に現在のモニタ画面をスクロールする（段階Ｓ９）。
【００６０】
段階Ｓ８または段階Ｓ９が終了すると、メイン制御部３０は動作終了有無を確認し、動作終了条件を満たすと（段階Ｓ１０）、データ検索及びディスプレイ装置の動作を終了し、条件を満たさなければ、再び段階Ｓ４に戻って今までの動作を繰り返し行う。
【００６１】
このように、本発明のデータ検索及びディスプレイ装置はメモリマッピング動作とスクロール動作を同時に支援して使用者がより迅速かつ便利に特定ファイルまたは情報を検索できるようにする。
【００６２】
図７は、図６のインデックスオフセットを獲得する過程（段階Ｓ３）をさらに詳しく説明するフローチャートである。
【００６３】
ディスプレイデータが複数個ファイルのファイル名であれば（段階Ｓ１１）、メモリ部４０の各ファイルのファイル名を含むインデックス情報がそれぞれ保存された複数個のインデックスメモリ領域ＩＭＡ１〜ＩＭＡＮが占めるメモリ領域の大きさを獲得すると共に、一つのインデックスメモリ領域ＩＭＡ１が占めるメモリ領域の大きさ（以下、「単位領域の大きさ」と称する）を獲得する（段階Ｓ１２）。
【００６４】
段階Ｓ１２を介して獲得された複数個のインデックスメモリ領域ＩＭＡ１〜ＩＭＡＮが占めるメモリ領域の大きさを、段階Ｓ１を介して設定された複数個のインデックスによって分けて予備インデックスオフセットを獲得する（段階Ｓ１３）。
【００６５】
予備インデックスオフセットが段階Ｓ１２を介して獲得した単位領域の大きさの整数倍であれば（段階Ｓ１４）、予備インデックスオフセットをインデックスオフセットに設定し（段階Ｓ１５）、整数倍でなければ予備インデックスオフセットと最も類似する値を有する単位領域の大きさの整数倍をインデックスオフセットに設定する段階（Ｓ１６）。
【００６６】
一方、ディスプレイデータがファイルのデータであれば（段階Ｓ１７）、使用者が選択したファイルのデータが保存されたデータメモリ領域が占めるメモリ領域大きさを獲得する（段階Ｓ１８）。
【００６７】
そして、段階Ｓ１８を介して獲得されたメモリ領域大きさを、段階Ｓ１を介して設定した複数個のインデックスに分けてインデックスオフセットを獲得する（段階Ｓ１９）。
【００６８】
図８は、図６のインデックス検出過程（段階Ｓ６）をより詳しく説明するためのフローチャートである。
【００６９】
まず、データ入力部２１はタッチセンサ２のデータを受信すると、受信されたデータを分析して使用者が接触した少なくとも一つ以上のタッチパッド１を獲得し、該タッチパッドに対応するタッチパッドグループを獲得する（段階Ｓ２１）。
【００７０】
段階Ｓ２１を介してタッチパッドグループが獲得されると、インデックス検出部２２は獲得されたタッチパッドグループにマッピングされたインデックスを検出する（段階Ｓ２２）。
【００７１】
そして、インデックス出力制御部２５は、段階Ｓ２３を介して検出したインデックスと基準インデックス値が同一であるか否かを確認し（段階Ｓ２３）、検出したインデックス値と基準インデックス値が同一状態で”マッピング動作要請時間”の間に維持されると（段階Ｓ２４）、検出されたインデックスをメイン制御部３０に伝送してタイマ２３をリセットする（段階Ｓ２５）。
【００７２】
一方、検出されたインデックス値と基準インデックス値が相違であるか、または検出されたインデックス値と基準インデックス値が同一状態で“マッピング動作要請時間”の間に維持されなければ検出されたインデックスを基準インデックスで保存してタイマ２３をリセットする（段階Ｓ２６）。
【００７３】
図９は、図６の新たなメモリ領域に移動する過程Ｓ７をより詳しく説明するためのフローチャートである。
【００７４】
メイン制御部３０は、段階Ｓ６を介して検出されたインデックスと段階Ｓ３を介して獲得されたインデックスオフセットを掛けて移動値を獲得する（段階Ｓ３１）。
【００７５】
段階Ｓ２を介して獲得されたディスプレイデータが保存されたメモリ領域のスタート領域から段階Ｓ３１を介して獲得された移動値分移動し、すなわち、新たなメモリ領域に移動し（段階Ｓ３２）、移動したメモリ領域にデータが保存されているか否かを確認する（段階Ｓ３３）。
【００７６】
段階Ｓ３３の確認結果、移動したメモリ領域にデータがなければメイン制御部３０は再びディスプレイデータが保存されたメモリ領域のスタート領域に移動し（段階Ｓ３４）、移動したメモリ領域にデータが保存されていれば正常にメモリ領域を移動したことを確認し、再び図６の段階Ｓ８に進行する。
【００７７】
図９では、移動したメモリ領域にデータがない場合、ディスプレイデータが保存されたメモリ領域のスタート領域に移動することを好適な実施形態として説明したが、使用者の必要に応じてディスプレイデータが保存されたメモリ領域の最後領域または任意領域に移動することができるのは当然である。
【００７８】
以上の説明では、各タッチパッドを接触することによって特定メモリ領域に移動することを実施形態に限定して説明したが、本発明の原理を利用して各タッチパッドを接触することで特定動作を行うこともできる。
【００７９】
そして、本発明の複数個のタッチパッドが図３の（ｄ）及び（ｅ）のように複数個のタッチパッドグループを生成する場合、一部のタッチパッドグループを介してはメモリマッピング動作を行い、その他残りのタッチパッドグループでは特定動作を行うこともできる。
【００８０】
また、使用者の必要に応じて使用者が直接複数個のＩＤそれぞれに該当する少なくとも一つ以上のタッチパッド及び特定メモリ領域を設定することができるのは当然である。
【００８１】
上述では、本発明の好ましい実施形態を参照しながら説明したが、当該技術分野の熟練した当業者は、添付の特許請求範囲に記載された本発明の思想及び領域から逸脱しない範囲で、本発明を多様に修正及び変更させることができる。
【図面の簡単な説明】
【００８２】
【図１】従来技術によるスクロール装置を示す図である。
【図２】本発明によるデータ検索及びディスプレイ装置の内部ブロック図である。
【図３】図２のスクロール装置の実施形態を示す図である。
【図４】図２のメモリ部のメモリ領域を詳しく示した図である。
【図５】図２のインデックス検出制御部の構成をより詳しく示した図である。
【図６】本発明によるデータ検索及びディスプレイ装置の動作を概略的に説明するためのフローチャートである。
【図７】図６のインデックスオフセットを獲得する過程をより詳しく説明するためのフローチャートである。
【図８】図６のインデックス検出過程をより詳しく説明するためのフローチャートである。
【図９】図６の新たなメモリ領域に移動する過程をより詳しく説明するためのフローチャートである。
【符号の説明】
【００８３】
２  タッチセンサ
２０  インデックス検出制御部
３０  メイン制御部
４０  メモリ部
５０  使用者インターフェース部
【図１】
2008529123.tif 000003
【図２】
2008529123.tif 000004
【図３】
2008529123.tif 000005
【図４】
2008529123.tif 000006
【図５】
2008529123.tif 000007
【図６】
2008529123.tif 000008
【図７】
2008529123.tif 000009
【図８】
2008529123.tif 000010
【図９】
2008529123.tif 000011
【図１０】
2008529123.tif 000012
【図１１】
2008529123.tif 000013
【図１２】
2008529123.tif 000014
【図１３】
2008529123.tif 000015
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
複数個のタッチパッドを備えるスクロール装置と、
データを保存するメモリ部と、
ディスプレイデータが選択されると、前記ディスプレイデータが保存された第１メモリ領域を獲得した後、前記ディスプレイデータが選択されると順にディスプレイするだけでなく、接触されたタッチパッドの位置に対応する前記第１メモリ領域内に第２メモリ領域を獲得した後、前記タッチパッドが設定時間以上に接触される際に、前記第２メモリ領域のデータを順にディスプレイし、前記接触されたタッチパッドの位置に基づいてスクロール方向を獲得した後、前記タッチパッドが前記設定時間未満に接触される際に、前記獲得されたスクロール方向に画面をスクロールする制御部と、
前記使用者がディスプレイするデータを選択したりメモリマッピング動作を要請したりするようにし、前記制御部の制御下において前記画面上にデータをディスプレイしたりスクロールしたりする使用者インターフェース部と、
を備えることを特徴とするデータ検索及びディスプレイ装置。
【請求項２】
前記制御部は、
前記使用者インターフェース部を介して前記メモリマッピング動作が要請されると、前記少なくとも一つ以上のタッチパッドが設定時間の間に接触されなくても、前記接触されたタッチパッドの位置に対応される前記第２メモリ領域を獲得した後、前記第２メモリ領域の前記データを順にディスプレイする機能をさらに備えることを特徴とする請求項１に記載のデータ検索及びディスプレイ装置。
【請求項３】
前記制御部は、
複数個のインデックスのそれぞれに前記少なくとも一つ以上のタッチパッドをマッピングし、前記タッチパッドが設定時間の間に接触されると、前記タッチパッドにマッピングされた前記インデックスを検出して出力するインデックス検出制御部と、
前記複数個のインデックスと設定時間を設定し、前記第１メモリ領域が獲得されると、前記第１メモリ領域と前記複数個のインデックスによってインデックスオフセットを獲得し、前記インデックスを受信すると、前記インデックスと前記インデックスオフセットによって前記第２メモリ領域を獲得した後、前記第２メモリ領域の前記データを順に出力するメイン制御部と、
を備えることを特徴とする請求項１に記載のデータ検索及びディスプレイ装置。
【請求項４】
前記インデックス検出制御部は、
基準インデックスを保存する基準インデックスメモリ部と、
時間の経過を計算するタイマと、
前記複数個のインデックスのそれぞれに前記少なくとも一つ以上のタッチパッドをマッピングし、前記少なくとも一つ以上のタッチパッドが接触されると、前記接触されたタッチパッドにマッピングされた前記インデックスを検出するインデックス検出部と、
前記検出されたインデックスと前記基準インデックスが設定時間の間に同一であれば前記検出されたインデックスを出力すると共に前記タイマをリセットし、前記検出されたインデックスと前記基準インデックスが相違したり、設定時間の間に同一でなかったりすると前記基準インデックスに前記検出されたインデックスを保存すると共に前記タイマをリセットするインデックス出力制御部と、
を備えることを特徴とする請求項３に記載のデータ検索及びディスプレイ装置。
【請求項５】
前記インデックス出力制御部は、
前記使用者インターフェースを介して前記メモリマッピング動作に対する要請があれば前記検出されたインデックスを出力すると共に前記タイマをリセットする機能をさらに備えることを特徴とする請求項４に記載のデータ検索及びディスプレイ装置。
【請求項６】
前記インデックス検出部は、
前記複数個のタッチパッドを前記複数個のインデックスによって複数個のタッチパッドグループに分類し、複数個のタッチパッドグループと複数個のインデックスを一対一にマッピングすることを特徴とする請求項４に記載のデータ検索及びディスプレイ装置。
【請求項７】
前記インデックス検出部は、
前記接触されたパッドにマッピングされたインデックスが二つ以上検出されると、前記接触されたパッドがより多くのインデックスを優先的に選択することを特徴とする請求項４に記載のデータ検索及びディスプレイ装置。
【請求項８】
前記メモリは、
ファイルのインデックス情報をそれぞれ保存する複数個のインデックスメモリ領域と、
ファイルのデータをそれぞれ保存する複数個のデータメモリ領域と、
を備えることを特徴とする請求項１に記載のデータ検索及びディスプレイ装置。
【請求項９】
前記インデックス情報は、
前記インデックス情報に対応するファイルのファイル名と、
前記インデックス情報に対応するデータメモリ領域のスタート及び最後の領域の位置情報と、
を含むことを特徴とする請求項８に記載のデータ検索及びディスプレイ装置。
【請求項１０】
前記メイン制御部は、
前記ディスプレイデータが前記複数個のファイルのファイル名であれば、前記複数個のファイルのインデックス情報が保存された前記インデックスメモリ領域を前記第１メモリ領域として獲得した後、前記第１メモリ領域を前記複数個のインデックスによって割った値と類似するか、または同一の値を有する前記インデックスメモリ領域の大きさの整数倍を前記インデックスオフセットに獲得することを特徴とする請求項９に記載のデータ検索及びディスプレイ装置。
【請求項１１】
前記メイン制御部は、
前記ディスプレイデータが前記ファイルのデータであれば、前記ファイルのデータが保存されたデータメモリ領域を前記第1メモリ領域として獲得し、前記第1メモリ領域を前記複数個のインデックスによって割った値を前記インデックスオフセットに獲得することを特徴とする請求項９に記載のデータ検索及びディスプレイ装置。
【請求項１２】
前記メイン制御部は、
前記使用者の要求によって前記インデックスオフセットの値を直接的に設定することを特徴とする請求項９に記載のデータ検索及びディスプレイ装置。
【請求項１３】
前記メイン制御部は、
前記第１メモリ領域のスタート領域から前記インデックスと前記インデックスオフセットを掛けた値分移動した領域を前記第２メモリ領域として獲得することを特徴とする請求項９に記載のデータ検索及びディスプレイ装置。
【請求項１４】
前記メイン制御部は、
前記第２メモリ領域に保存されたデータがなければ、前記第１メモリ領域のスタート領域を前記第２メモリ領域として新たに獲得することを特徴とする請求項１３に記載のデータ検索及びディスプレイ装置。
【請求項１５】
前記メイン制御部は、
前記第２メモリ領域に保存されたデータがなければ、前記第１メモリ領域の最後の領域を前記第２メモリ領域として新たに獲得することを特徴とする請求項１３に記載のデータ検索及びディスプレイ装置。
【請求項１６】
前記メイン制御部は、
使用者が手動でインデックスオフセットを設定できるようにする機能をさらに備えることを特徴とする請求項３に記載のデータ検索及びディスプレイ装置。
【請求項１７】
前記制御部は、
所定個のタッチパッドを用いて前記メモリマッピング動作を行い、所定個のタッチパッドを用いてスクロール速度調節動作を行うことを特徴とする請求項３に記載のデータ検索及びディスプレイ装置。
【請求項１８】
前記スクロール装置は、
上下一列に配置された複数個のタッチパッドを備えることを特徴とする請求項１に記載のデータ検索及びディスプレイ装置。
【請求項１９】
前記スクロール装置は、
マトリックス状に配置された複数個のタッチパッドを備えることを特徴とする請求項１に記載のデータ検索及びディスプレイ装置。
【請求項２０】
前記スクロール装置は、
円状に配置された複数個のタッチパッドを備えることを特徴とする請求項１に記載のデータ検索及びディスプレイ装置。
【請求項２１】
前記データ検索及びディスプレイ装置は、
携帯用装置であることを特徴とする請求項１に記載のデータ検索及びディスプレイ装置。
【請求項２２】
複数個のタッチパッドと複数個ファイルのデータを複数個のメモリ領域にそれぞれ保存する保存媒体を備えるデータ検索及びディスプレイ方法において、
ディスプレイデータが選択されると、前記ディスプレイデータが保存された第１メモリ領域を獲得した後、前記第１メモリ領域のデータを順に画面上にディスプレイする段階と、
前記少なくとも一つ以上のタッチパッドが設定時間の間に接触されると、前記第１メモリ領域のうちの前記接触されたタッチパッドの位置に対応される第２メモリ領域を獲得した後に前記第２メモリ領域のスタート領域からデータを読み取って出力するメモリマッピング段階と、
前記少なくとも一つ以上のタッチパッドが設定時間の間に接触していなければ、前記接触されたタッチパッドの位置によってスクロール方向を獲得し、その獲得されたスクロール方向にスクロール動作を行うスクロール段階と、
を備えることを特徴とするデータ検索及びディスプレイ装置の方法。
【請求項２３】
前記データ検索及びディスプレイ方法は、
複数個のインデックスと設定時間とを設定し、前記複数個のインデックスに前記複数個のタッチパッドをマッピングする段階をさらに備えることを特徴とする請求項２２に記載のデータ検索及びディスプレイ装置の方法。
【請求項２４】
前記メモリマッピング段階は、
前記第１メモリ領域を前記複数個のインデックスで分けてインデックスオフセットを獲得するインデックスオフセット獲得段階と、
前記少なくとも一つ以上のタッチパッドが設定時間の間に接触されると、前記接触されたタッチパッドに該当する前記インデックスを検出するインデックス検出段階と、
前記インデックスと前記インデックスオフセットを用いて前記第１メモリ領域のうちの前記接触されたタッチパッドの位置に対応される第２メモリ領域を獲得する第２メモリ領域獲得段階と、
を備えることを特徴とする請求項２３に記載のデータ検索及びディスプレイ装置の方法。
【請求項２５】
前記インデックスオフセット獲得段階は、
前記ディスプレイデータが前記複数個ファイルのファイル名であれば、
前記複数個ファイルのファイル名が保存された全体メモリ領域を獲得する段階と、
前記全体メモリ領域の大きさを前記複数個のインデックスによって割った値を獲得する段階と、
前記割った値と類似するか、または同一である前記単位メモリ領域大きさの整数倍を前記インデックスオフセットとして獲得する段階と、
を備えることを特徴とする請求項２４に記載のデータ検索及びディスプレイ装置の方法。
【請求項２６】
前記インデックスオフセット獲得段階は、
前記ディスプレイデータが前記ファイルのデータであれば、
前記ファイルのデータが保存されたメモリ領域を前記複数個のインデックスによって割った値を前記インデックスオフセットとして獲得することを特徴とする請求項２４に記載のデータ検索及びディスプレイ装置の方法。
【請求項２７】
前記インデックス検出段階は、
前記少なくとも一つ以上のタッチパッドが接触すると、前記接触されたパッドにマッピングされたインデックスを検出する段階と、
前記検出されたインデックスと基準インデックスが設定時間の間に同一であれば、前記検出されたインデックスを出力する段階と、
前記検出されたインデックスと前記基準インデックスが設定時間の間に同一でなければ、前記検出されたインデックスを前記基準インデックスに設定する段階と、
を備えることを特徴とする請求項２４に記載のデータ検索及びディスプレイ装置の方法。
【請求項２８】
前記接触されたパッドにマッピングされたインデックスを検出する段階は、
前記接触されたパッドにマッピングされたインデックスが二つ以上検出されると、前記接触されたパッドがより多くのインデックスを優先的に選択することを特徴とする請求項２７に記載のデータ検索及びディスプレイ装置の方法。
【請求項２９】
前記検出段階は、
使用者がメモリマッピング動作を要請する際、
前記検出されたインデックスが前記設定時間分、前記基準インデックスと同一でなくても前記検出されたインデックスを出力することを特徴とする請求項２７に記載のデータ検索及びディスプレイ装置の方法。
【請求項３０】
前記第２メモリ領域獲得段階は、
前記第１メモリ領域のスタート領域から前記インデックスと前記インデックスオフセットを掛けた値分移動した領域を前記第２メモリ領域として獲得することを特徴とする請求項２４に記載のデータ検索及びディスプレイ装置の方法。
【請求項３１】
前記第２メモリ領域獲得段階は、
前記第２メモリ領域に保存されたデータがなければ、前記第１メモリ領域のスタート領域を前記第２メモリ領域に新たに獲得することを特徴とする請求項２４に記載のデータ検索及びディスプレイ装置の方法。
【請求項３２】
前記第２メモリ領域獲得段階は、
前記第２メモリ領域に保存されたデータがなければ、前記第１メモリ領域の終了領域を前記第２メモリ領域に新たに獲得することを特徴とする請求項２４に記載のデータ検索及びディスプレイ装置の方法。
【手続補正２】
【補正対象書類名】明細書
【補正対象項目名】００１４
【補正方法】変更
【補正の内容】
【００１４】
前記の目的を達成するためのデータ検索及びディスプレイ装置は、 複数個のタッチパッドを備えるスクロール装置と、データを保存するメモリ部と、ディスプレイデータが選択されると、前記ディスプレイデータが保存された第１メモリ領域を獲得した後、前記ディスプレイデータが選択されると順にディスプレイするだけでなく、接触されたタッチパッドの位置に対応する前記第１メモリ領域内に第２メモリ領域を獲得した後、前記タッチパッドが設定時間以上に接触される際に、前記第２メモリ領域のデータを順にディスプレイし、前記接触されたタッチパッドの位置に基づいてスクロール方向を獲得した後、前記タッチパッドが前記設定時間未満に接触される際に、前記獲得されたスクロール方向に画面をスクロールする制御部と、前記使用者がディスプレイするデータを選択したりメモリマッピング動作を要請したりするようにし、前記制御部の制御下において前記画面上にデータをディスプレイしたりスクロールしたりする使用者インターフェース部とを備えることを特徴とする。
【手続補正書】
【提出日】平成19年7月23日(2007.7.23)
【手続補正１】
【補正対象書類名】図面
【補正対象項目名】全図
【補正方法】変更
【補正の内容】
【図１】
2008529123.tif 000016
【図２】
2008529123.tif 000017
【図３Ａ】
2008529123.tif 000018
【図３Ｂ】
2008529123.tif 000019
【図３Ｃ】
2008529123.tif 000020
【図３Ｄ】
2008529123.tif 000021
【図３Ｅ】
2008529123.tif 000022
【図４】
2008529123.tif 000023
【図５】
2008529123.tif 000024
【図６】
2008529123.tif 000025
【図７】
2008529123.tif 000026
【図８】
2008529123.tif 000027
【図９】
2008529123.tif 000028
【国際調査報告】
2008529123.tif 000029
2008529123.tif 000030
2008529123.tif 000031